(57)【特許請求の範囲】
【請求項１】
植物を生育する植生基盤が充填され、多面のうち少なくとも一面に植物が植生された緑化装置に用いる格子状の枠体であって、
格子の縦方向を構成する直線状の縦部材と、
前記縦部材と接続され、格子の横方向を構成する波状の横部材とを備え、
前記横部材は、前記植生基盤を内包するマットの表面との間に空間を形成する突出部を有し、当該突出部が、縦方向において直線状に配置されている、
枠体。
【請求項２】
前記枠体は、格子状の金網からなる、請求項１に記載の枠体。
【発明の詳細な説明】
【技術分野】
【０００１】
本発明は、緑化装置の技術に関する。
【背景技術】
【０００２】
コンクリートやアスファルトによって形成される地面や、建造物の天端面などを緑化する種々の技術が提案されている。例えば、特許文献１には、箱体に植生基盤を充填して植生した多面緑化体が開示されている。この多面緑化体は、箱体が、金網製であり、四角形の複数の側面を有している。また、箱体内の複数の側面に、基盤マットに植物を植生して予め製造した植生ブロックマットが収容されている。また、植生ブロックマットの内側には、無機質の植生基盤が充填され、箱体の複数の側面と上面には、植物が植えられている。
【先行技術文献】
【特許文献】
【０００３】
【特許文献１】特許第４３８３９７１号公報
【特許文献２】特許第４４３７１９９号公報
【発明の概要】
【発明が解決しようとする課題】
【０００４】
コンクリートやアスファルトによって形成される地面や、建造物の天端面などを緑化する種々の技術が提案されている。例えば上記多面緑化体によれば、限られたスペースにおいてより多くの植生面積を提供することができる。限られたスペースにおいて更に多くの植生面積を確保する方法としては、例えば、上記多面緑化体の高さを高くすることが考えられる。しかしながら、多面緑化体の高さを高くすると、灌水する際、多面緑化体の下部まで十分に水が供給されないといったことが懸念される。その結果、植生される植物が十分に育たないといったことが懸念される。
【０００５】
本発明は、上記の問題に鑑み、多面を有する緑化装置であって、高さ方向の空間を有効活用して従来よりも多くの植生面積を確保すると共に、緑化装置全体に均一に灌水できる緑化装置に関する技術を提供することを課題とする。
【課題を解決するための手段】
【０００６】
本発明は、上述した課題を解決するため、多面を有する緑化装置を複数段に分け、各段ごとに灌水をできるよう構成とした。詳細には、本発明は、植物を生育する植生基盤が充填され、多面を有する緑化装置であって、前記緑化装置の複数の側面のうちの一面を除く他の複数の側面を形成し、前記緑化装置の高さまで伸びる多側面部と、前記緑化装置の複数の側面のうちの一面を形成するとともに、前記緑化装置を高さ方向において複数段に分割する分割部であって、各段が、前記一面の一部を形成する分割側面と、該分割側面と接続された前記各段の底面を形成する分割底面を含み、各段同士が所定の間隔あけて配置される分割部と、前記多側面部と前記分割部とを接続する接続部と、を備える。
【０００７】
本発明によれば、高さ方向の空間を有効活用して従来よりも多くの植生面積を確保することができる。また、緑化装置の背が高くなると、植生基盤を隅々まで充填することが困難となるが、本発明に係る緑化装置によれば、高さ方向を複数段に分割することで、各段に対して植生基盤を充填する際、植生基盤を隅々まで確実に充填することができる。また、高さ方向が複数に分割され、各段の間には、所定の間隔が形成されていることから、この所定の間隔から灌水を行うことができる。すなわち、各段への灌水が可能となり、緑化
装置の下部においても十分な水の供給が可能となる。所定の間隔は、灌水を行うために必要な寸法として適宜設計することができる。また、所定の間隔を設計するに際しては、通気性を考慮するようにしてもよい。なお、高さ方向の空間を有効活用する場合の方法としては、例えば、高さが低い緑化装置を収納棚等を用いて高さ方向に複数段重ねることも考えられる。但し、この場合には、別途棚が必要となる。これに対し、本発明によれば、このような棚も不要であり、部品点数の削減を図ることができる。また、棚が不要となることでスペースを更に有効に活用することができる。
【０００８】
ここで、植生基盤とは、緑化装置に植えられる植物を生育するための土台を意味する。植生基盤は、保水性の高い軽量土壌を用いることが好ましいが、植物を生育できるものであればよい。本発明に係る緑化装置の面数は、限定されないが、例えば、６面の場合、緑化装置は６面体となる。この場合、緑化装置の側面は４面となり、多側面部の面数は３面となる。また、緑化装置が、三角柱状、換言すると、底面、天面、及び３つの側面によって構成される場合、緑化装置の側面は３面であり、多側面部の面数は２面となる。なお、本発明によれば、高さ方向の空間を有効に活用できることから、本発明に係る緑化装置は、横方向に対して高さ方向の寸法を大きくすることが好ましい。
【０００９】
また、本発明に係る緑化装置において、前記多側面部及び前記分割部は、格子状又は複数孔を有する平板状の枠体と、該枠体の内側に配置され植生基盤を内包すると共に通気性を有するマットを備える構成とすることができる。枠体とは、多側面部や分割部を構成する構造体であり、植生基盤が充填された緑化装置を支持する。枠体は、通気性と十分な強度を有していればよく、その態様は特に限定されない。マットは、枠体の内側に設けられ、植生基盤が外部へ漏れるのを防止する。接続部の態様は特に限定されず、多側面部と分割部を接続できるものであればよい。
【００１０】
ここで、本発明に係る緑化装置において、前記緑化装置の複数の側面のうちの一面の幅は、前記緑化装置の幅と同じか又は該緑化装置の幅よりも大きくすることが好ましい。これにより、分割部を水平方向から挿入して、分割部を多側面部に接続することができる。なお、緑化装置の複数の側面のうちの一面の幅を緑化装置の幅よりも小さくした場合には、分割部は、緑化装置の上方から挿入すればよい。また、本発明に係る緑化装置を組み立てるに際しては、多側面部に対して、分割部の下段から順に組み付けることが好ましく、これにより植生基盤を容易に充填することができる。
【００１１】
また、本発明に係る緑化装置は、前記各段に充填される植生基盤に対して水を供給する灌水部であって、前記所定の間隔に設けられる灌水部を更に備える構成とすることができる。灌水部を緑化装置に設けることで、容易に灌水を行うことができる。
【００１２】
なお、各段に設けられる灌水部から供給する水の量を全て同じにすると、上段に供給された水が漏れて下段に供給され、下段への水の供給量が多くなることが想定される。そこで、本発明に係る緑化装置において、前記灌水部は、上段に設けられる灌水部が、下段に設けられる灌水部よりも多くの水を供給するようにしてもよい。これにより、上段と下段に供給される水の量を一定化することができ、植物の生育のばらつきを抑えることができる。
【００１３】
本発明に係る緑化装置の設置場所は特に限定されないが、例えば、建物の壁面に並べて配置することができる。本発明に係る緑化装置は、従来に比べて高く設計することができることから、建物の壁面に並べて配置することで、建物の壁面を効果的に緑化することができる。特に建物が複数階を有している場合において、各階の壁面に本発明に係る緑化装置を並べて配置することで、建物の壁面を効果的に緑化することができる。
【発明の効果】
【００１４】
本発明によれば、多面を有する緑化装置であって、高さ方向の空間を有効活用して従来よりも多くの植生面積を確保すると共に、緑化装置全体に均一に灌水できる緑化装置に関する技術を提供することができる。
【図面の簡単な説明】
【００１５】
【図１】第一実施形態に係る緑化装置の斜視図を示す。
【図２】第一実施形態に係る緑化装置のうち、枠体の分解斜視図を示す。
【図３Ａ】第一実施形態に上段パネル金網の平面図を示す。
【図３Ｂ】第一実施形態に係る上段パネル金網の側面図を示す。
【図３Ｃ】第一実施形態に係る上段パネル金網の背面図を示す。
【図４Ａ】第一実施形態に係る緑化装置の枠体の平面図を示す。
【図４Ｂ】第一実施形態に係る緑化装置の枠体の側面図を示す。
【図４Ｃ】第一実施形態に係る緑化装置の枠体の正面図を示す。
【図４Ｄ】第一実施形態に係る緑化装置の枠体の断面図を示す。
【図５】第一実施形態に係る緑化装置の組み立て手順を示す。
【図６Ａ】下段パネル金網を接続する様子を示す。
【図６Ｂ】植生マットを設置する様子を示す。
【図６Ｃ】軽量土壌を充填する様子を示す。
【図７】第二実施形態に係る緑化装置の斜視図を示す。
【図８Ａ】図７のＡ−Ａ断面図を示す。
【図８Ｂ】図８ＡのＢ−Ｂ断面図を示す。
【図９】制御部及びバルブを備える灌水装置の一例を示す。
【図１０】バルブ制御テーブルの一例を示す。
【図１１】実施形態に係る緑化装置の設置例を示す。
【発明を実施するための形態】
【００１６】
次に、本発明の実施形態について図面に基づいて説明する。なお、以下で説明する実施形態は本発明を実施するための例示であり、本発明は以下で説明する態様に限定されない。
【００１７】
［第一実施形態］
＜構成＞
図１、図２に示すように、第一実施形態に係る緑化装置１は、側面パネルユニット２、分割パネルユニット３を備え、接続部材５によって側面パネルユニット２と分割パネルユニット３が互いに接続されている。また、第一実施形態に係る緑化装置１内には、植生マット６が設けられ、軽量土壌７が充填され、植物８が植え付け可能となっている。図１では、正面と上面にのみ植物８が植え付けられているが、右側面、左側面、背面にも植え付け可能である。分割パネルユニット３は、上段パネル金網３ａ、中段パネル金網３ｂ、下段パネル金網３ｃの３段からなり、各段同士の間には隙間が設けられ、通気性を確保すると共に、この隙間から水の供給（灌水）が可能となっている。なお、本実施形態では、分割パネルユニット３の垂直面を緑化装置１の背面として定義するが、正面、背面、左側面、右側面は、説明の便宜上割り当てたものであり、限定されるものではない。
【００１８】
第一実施形態に係る緑化装置１は、正面、背面、右側面、左側面、上面、下面の６面からなる箱型形状（６面体）である。本実施形態では、各面の平面形状を四角形としたが、各面の平面形状は、四角形以外の多角形としてもよい。また、緑化装置１は、６面体以外の多面体構造としてもよい。
【００１９】
側面パネルユニット２は、枠体としての、正面金網２１、左側面金網２２、右側面金網
２３を備え、緑化装置１の正面、右側面、及び左側面を形成する（特に、図２、図４Ａから４Ｄを参照）。側面パネルユニット２には、正面金網２１、左側面金網２２、右側面金網２３の内側に設けられる植生マット６も含まれる。正面金網２１、左側面金網２２、及び右側面金網２３は、いずれも長方形であり、高さ方向の寸法が幅方向の寸法よりも大きく設計されている。正面金網２１、左側面金網２２、及び右側面金網２３は、平板状の金網に対して折り曲げ加工と溶接が施されることで、各面が形成されている。金網の材質は、例えば、亜鉛とアルミニウム合金メッキの鉄線とすることができる。また、正面金網２１、左側面金網２２、及び右側面金網２３は、格子の横方向を構成する横部材が、折り曲げ加工が施されることで、波状に形成されている。これに対し、格子の縦方向（高さ方向）を構成する縦部材は、直線状である。また、横部材の波状のうち、外側に向けて突出した突出部が高さ方向に直線状に並ぶように、突出部と突出部との間において、縦部材と横部材とが溶接によって接続されている。横部材が突出部を有することで、横部材と植生マット６の表面との間に空間が形成され、植物８が側面パネルユニット２の枠体に対して絡みやすくなる。なお、緑化装置１の側面には、蔓類の植物８を植えつけることが好ましく、突出部を高さ方向に直線状に配置することで上方に延びる蔓類が絡みやすくなる。
【００２０】
第一実施形態では、正面金網２１、左側面金網２２、右側面金網２３が、互いに螺旋状接続部材４によって接続されている。すなわち、正面金網２１の高さ方向に伸びる２長辺のうちの一辺が右側面金網２３の高さ方向に伸びる長辺と接続され、正面金網２１の２長辺のうちの他辺が左側面金網２２の長辺と接続され、螺旋状接続部材４によって固定されている。本実施形態の螺旋状接続部材４は、正面金網２１、左側面金網２２、右側面金網２３と同素材であり、螺旋形状を有する。正面金網２１、左側面金網２２、右側面金網２３のうち、接続対象となる長辺同士が接する状態で、螺旋状接続部材４の軸方向を中心に螺旋状接続部材４を回転させ、螺旋状接続部材４の先端を格子に順次通していくことで、正面金網２１、左側面金網２２、右側面金網２３同士の接続が可能となる。なお、螺旋状接続部材４は、側面パネルユニット２と分割パネルユニット３の接続に用いてもよい。また、正面金網２１、左側面金網２２、右側面金網２３同士の接続には、螺旋状接続部材４に代えて、挟み込んで固定するクリップや結束する結束クリップ（接続部材５）などを用いてもよい。また、側面パネルユニット２は、正面金網２１、左側面金網２２、右側面金網２３を一枚の金網によって形成し、正面、右側面、左側面同士の境界を折り曲げることで形成してもよい。
【００２１】
分割パネルユニット３は、枠体としての、上段パネル金網３ａ、中段パネル金網３ｂ、下段パネル金網３ｃの３段からなり、各段の背面と底面を形成すると共に、緑化装置１の背面と下面を形成する。分割パネルユニット３が側面パネルユニット２に接続されることで、各段において、正面、背面、右側面、左側面、底面が金網によって形成され、金網の内側に植生マット６が設けられることで、格段に軽量土壌を充填することが可能となる。また、各段同士の間には、隙間（本発明の所定の間隔に相当する）が形成されており、この隙間から灌水が可能である。上段パネル金網３ａは、上段背面金網３１ａと上段底面金網３２ａを有し、一枚の長方形の金網が上段背面金網３１ａと上段底面金網３２ａの境界で折り曲げられることで形成されている。中段パネル金網３ｂは、中段背面金網３１ｂと中段底面金網３２ｂを有し、一枚の長方形の金網が折り曲げられることで形成されている。また、下段パネル金網３ｃは、下段背面金網３１ｃと下段底面金網３２ｃを有し、一枚の長方形の金網が折り曲げられることで形成されている。分割パネルユニット３を形成する金網も、側面パネルユニット２を形成する金網と同素材、すなわち、亜鉛やアルミニウム合金メッキの鉄線とすることができる。また、分割パネルユニット３を形成する金網も、側面パネルユニット２を形成する金網と同じく、格子の横方向を構成する横部材が波状に形成され、格子の縦方向を構成する縦部材は直線状である。また、分割パネルユニット３を形成する金網にも突出部が形成されている。上段背面金網３１ａ、中段背面金網３１ｂ、下段背面金網では、突出部を高さ方向に直線状に配置することで上方に延びる蔓類が
絡みやすくなる。また、下段底面金網３２ｃでは、突出部が設けられることで設置面との間に空間が形成され、通気性が確保される。
【００２２】
なお、側面パネルユニット２を構成する金網や分割パネルユニットを構成する金網に代えて、エキスパンドメタルや、複数の孔（例えば、格子状に形成された孔）を有する鋼板を用いてもよい。緑化装置１の枠体の材質は、通気性を確保でき、かつ、植生基盤を充填した際の内圧に耐えうる強度を有していればよく、特に限定されない。
【００２３】
接続部材５は、側面パネルユニット２と分割パネルユニット３を接続する。接続部材５には、金網を挟み込んで固定するクリップや結束する結束クリップなどを用いることができる。なお、接続部材５には、上述した螺旋状接続部材４を用いてもよい。
【００２４】
植生マット６は、各金網の内側に配置され、充填される植生基盤としての軽量土壌７が外部に漏れるのを抑制する。植生マット６は、各金網の形状に合わせて設計されている。植生マット６は、通気性と軽量土壌７を保持する強度を有していればよく、本実施形態では植生マット６にファイバーマットが用いられている。ファイバーマットは、ポリエステルシートと天然椰子繊維からなるシートを張り合わせることで構成されている。なお、ファイバーマットに代えてリサイクルＰＥＴからなるシートやフェルトを用いてもよい。植生マット６には、植物の植え付けが可能である。具体的には、植生マット６に、複数の切り込みを設け、この切り込みから植物８の根を軽量土壌７に植えつけることが可能である。第一実施形態では、正面にのみ植物８が植えつけられている。なお、背面、右側面、左側面においても、植物８の植え付けは可能である。植物８を植え付ける面は、緑化装置１の配置場所の状況に応じて適宜変更することができる。
【００２５】
軽量土壌８は、ユニット２内に充填され、ユニット２に植えられる植物に対して水分を供給する。本実施形態では、本発明の植生基盤として保水性に優れた無機質の軽量土壌を用いているが、軽量土壌に代えて既存の他の土壌を用いてもよい。
【００２６】
＜組み立て方法＞
次に、上述した緑化装置１の組み立て方法（以下、単に組み立て方法ともいう）について説明する。図５は、第一実施形態に係る緑化装置の組立て手順を示し、図６Ａ、図６Ｂは、図６Ｃは、緑化装置１の組立状況を示す。なお、図５に示す組み立て方法の工程順序は一例であり、工程順序は適宜入れ替えることができる。
【００２７】
第一実施形態では、図５に示すように、下段、中段、上段の順序で緑化装置１が組み立てられる。また、各段では、分割パネルユニット３の枠体（上段パネル金網３ａ、中段パネル金網３ｂ、下段パネル金網３ｃ）の取り付け、植生マット６の設置、軽量土壌７の充填が行われる。そして、最後に植物８の植え付けが行われる。下段を例に図面に基づいて説明すると、図６Ａに示すように、まず、側面パネルユニット２の下部に対して、分割パネルユニット３の下段パネル金網３ｃが接続され、接続部材５によって固定される。すなわち、下段底面金網３２ｃにおける、正面の辺、右側面の辺、及び左側面の辺が、正面金網２１、右側面金網２３、及び左側面金網２２の最下辺とそれぞれ接続され、接続部材５によって固定される。次に、図６Ｂに示すように、緑化装置１のうち、下段パネル金網３ｃが取り付けられた高さ（３１ｃの上端高さ）まで、植生マット６が金網の内側に設置される。すなわち、下段底面金網３２ｃ及び３１ｃ、正面金網２１、右側面金網２３、及び左側面金網の３１ｃの上端高さの内側に植生マット６が設置される。次に、図６Ｃに示すように、植生マット６が充填される。
【００２８】
下段の組み立てが終わると、中段が組み立てられ、中段が組み立てられると上段が組み立てられる。下段と中段、及び中段と上段の間には灌水を行うための隙間が形成されるよ
うに、中段、下段が夫々組み立てられる。その後、任意の面に植物８が植えつけられる。第一実施形態では、正面と上面に植物８が植えつけられる。植物８には、例えば、シラカシやアオダモなど主木となる木と、コナラ、ウツギ、ヤマブキ、ヤマツツジ、ツバキなどの中・低木、ヒメヤブラン、キチジョウソウ、チゴユリ、ゲンノショウコなどの草本が例示され、これらは混植してもよい。なお、植生マット６には予め植物８が受け付けられたものを用いてもよい。
【００２９】
＜作用効果＞
以上説明した第一実施形態に係る緑化装置１によれば、従来よりも高くすることができ、高さ方向の空間を有効活用して従来よりも多くの植生面積を確保することができる。また、緑化装置１の背が高くなると、軽量土壌７を隅々まで充填することが困難となるが、第一実施形態に係る緑化装置１によれば、高さ方向を複数段に分割することで、各段に対して軽量土壌７を充填する際、軽量土壌７を隅々まで確実に充填することができる。また、緑化装置１の高さ方向が３段に分割され、各段の間には、隙間が形成されるので、この隙間から灌水を行うことができる。すなわち、各段への灌水が可能となり、緑化装置１の下部においても十分な水の供給が可能である。なお、背が低い緑化装置を収納棚等を用いて高さ方向に複数段重ねる場合と比較すると、第一実施形態に係る緑化装置１では、棚が不要であり、部品点数の削減を図ることができる。また、棚が不要となることでスペースを更に有効に活用することができる。
【００３０】
［第二実施形態］
第二実施形態に係る緑化装置１は、第一実施形態に係る緑化装置１の構成に加えて、灌水装置９を更に備える。以下、第二実施形態に係る緑化装置１について図面に基づいて説明する。なお、第一実施形態に係る緑化装置１と同様の構成については、同一符号を付すことで詳細な説明は割愛する。
【００３１】
図７は、第二実施形態に係る緑化装置１の斜視図を示す。左下の図は、第二実施形態に係る緑化装置１のうち、枠体としての金網と、灌水装置９を抜き出した図を示す。図８Ａは、図７のＡ−Ａ断面図を示す。また、図８Ｂは、図８ＡのＢ−Ｂ断面図を示す。図７に示すように、第二実施形態に係る緑化装置１は、上段、中段、下段の上方に灌水装置９として給水ドリップホース９０が設置されている。第一実施形態に係る給水ドリップホース９０は、樹脂製ホースによって形成され、リング部９１とホース９２を有する。リング部９１のリングの径は、第二実施形態に係る緑化装置１の幅及び奥行きの寸法よりも小さく設計されている（図８参照）。リング部９１には、複数の灌水用孔９３が形成され、この灌水用孔９３を通じて水が排出される。ホース９２は、給水源（図示せず）と接続され、給水源から供給される水をリング部９１に導く。その結果、灌水用孔９３から水が排出される。第二実施形態では、給水ドリップホース９０のリング部９１の形状が円形であるがこれに限定されるものではない。円形のリング部９１は、円形のリング部９１に代えて、四角形状のリングとしてもよい。また、リング部９１をリング状ではなく、複数の棒状のホースを並行に配置した構成としてもよい。更に、ホース９２から分岐した分岐ホースの先端部分を軽量土壌中に埋設する構成としてもよい。この態様では、水の供給を直接軽量土壌に対して行うことができる。
【００３２】
ここで、各段に設けられる給水ドリップホース９０から排出される水の量を全て同じにすると、上段から漏れた水が下段に供給され、下段への水の供給量が多くなることが想定される。そこで、給水ドリップホース９０から排出される水の量は、上段に設けられた給水ドリップホース９０から排出される水の量を下段に設けられた給水ドリップホース９０から排出される水の量よりも多くしてもよい。これにより、上段と下段に供給される水の量を一定化することができ、植物８の生育のばらつきを抑えることができる。
【００３３】
灌水量の調整は、例えば、制御部９４によって行うことができる。ここで、図９は、給水ドリップホース９０、制御部９４、及びバルブ９５を備える灌水装置９の一例を示す。図９に示す灌水装置９は、３つの給水ドリップホース９０の夫々に流量を調整自在なバルブ９５（例えば、電磁制御バルブ）が設けられ、各バルブ９５は、コンピュータとしての制御部９４と電気的に接続されている。制御部９４は、ＣＰＵ（Ｃｅｎｔｒａｌ  Ｐｒｏｃｅｓｓｉｎｇ  Ｕｎｉｔ）とメモリ、タイマを備え、ＣＰＵは、灌水量を調整するためのバルブ制御プログラム
を、メモリ内のワークエリアに展開し、バルブ制御プログラムに従ってバルブの開閉制御を行う。メモリには、揮発性のＲＡＭ（Ｒａｎｄｏｍ  Ａｃｃｅｓｓ  Ｍｅｍｏｒｙ）と、不揮発性のＲＯＭ（Ｒｅａｄ  Ｏｎｌｙ  Ｍｅｍｏｒｙ）が含まれる。
【００３４】
ここで、図１０は、バルブ制御テーブルの一例を示す。図１０に示すバルブ制御テーブルでは、上段の給水ドリップホース９０に対応するバルブ９５の開度が１００％、中段の給水ドリップホース９０に対応するバルブ９５の開度が７５％、下段の給水ドリップホース９０に対応するバルブ９５の開度が５０％に設定されている。制御部９４は、メモリ内に格納されたバルブ制御テーブルにアクセスし、バルブの開閉制御を行う。具体的には、上段の給水ドリップホース９０に対応するバルブ９５の開度が１００％、中段の休止ドリップホース９２に対応するバルブ９５の開度が７５％、下段の給水ドリップホース９０に対応するバルブ９５の開度が５０％となるよう各バルブの開度を制御する。なお、バルブ制御プログラムの実行は、タイマから時間情報を取得し、予め指定された時間に実行するようにしてもよい。また、管理者が必要に応じて実行させるようにしてもよい。
【００３５】
なお、灌水量の調整は、上述した制御部９４を備える緑化装置１よりも簡易な構成としてもよい。例えば、上段に設けられる給水ドリップホース９０に形成される灌水用孔９３の数や径に変化をもたせることで灌水量の調整が可能である。具体的には、上段に設けられる給水ドリップホース９０の灌水用孔９３の数を下段に設けられる給水ドリップホース９０の灌水用孔９３の数よりも多くすればよい。また、上段に設けられる給水ドリップホース９０の灌水用孔９３の径を下段に設けられる給水ドリップホース９０の灌水用孔９３の径よりも大きくすればよい。
【００３６】
以上説明した第二実施形態に係る緑化装置１によれば、第一実施形態に係る緑化装置１の効果に加えて、灌水を容易に行うことができ、また、灌水の斑を低減することができる。
【００３７】
［使用例］
ここで、図１１は、第一又は第二実施形態に係る緑化装置１の設置例を示す。図１１において緑化装置１を設置する建物は３階建てであり、正面には複数の窓を有し、正面の幅方向の両端部と側面には窓がない壁を有している。緑化装置１は、この窓のない壁に設置されている。より詳細には、窓のない壁の各階には、高さ方向に台座が３段設けられ、各台座に緑化装置１が設置されている。台座は、建物の建設時に設けてもよく、また、建設後に設けてもよい。図１１に示す例では、各階の高さが３ｍほどである。緑化装置１の高さを３ｍとすると運搬や組立ての効率が悪くなることが想定されるため、緑化装置１の高さを１ｍほどに設計し、台座を３段設け、各台座に緑化装置１を設定することで高さ方向の緑化が実現されている。図１１に示すように建物の各階の側壁に緑化装置１を並べて配置することで、建物の側壁を効果的に緑化することができる。図１１に示す例では、軽量土壌７の風による飛散を防止するため、中段、下段の軽量土壌７の上には透水性のシートが設置されている。上段の軽量土壌７の上には、植生マット６を設置した上で植物８が植え付けられている。なお、透水性のシートや植生マット６に代えてチップ材や小石等を用いてもよい。図１１に示す例は、あくまで例示であり、緑化装置１を設置可能な建物の階数、形状等は特に限定されない。また、設置場所は、建物の壁面に限定されるものではな
く、コンクリートやアスファルトによって形成される地面や、建物の天端面など、緑化が望まれる種々の場所とすることができる。
【００３８】
以上、本発明の好適な実施形態を説明したが、本発明に係る緑化装置はこれらに限らず、可能な限りこれらの組合せを含むことができる。
【符号の説明】
【００３９】
１・・・緑化装置
２・・・側面パネルユニット
３・・・分割パネルユニット
３ａ・・・上段パネル金網
３ｂ・・・中段パネル金網
３ｃ・・・下段パネル金網
４・・・螺旋状接続部材
５・・・接続部材
６・・・植生マット
７・・・軽量土壌
８・・・植物
９・・・灌水装置
【図１】
0006041228.tif 000002
【図２】
0006041228.tif 000003
【図３Ａ】
0006041228.tif 000004
【図３Ｂ】
0006041228.tif 000005
【図３Ｃ】
0006041228.tif 000006
【図４Ａ】
0006041228.tif 000007
【図４Ｂ】
0006041228.tif 000008
【図４Ｃ】
0006041228.tif 000009
【図４Ｄ】
0006041228.tif 000010
【図５】
0006041228.tif 000011
【図６Ａ】
0006041228.tif 000012
【図６Ｂ】
0006041228.tif 000013
【図６Ｃ】
0006041228.tif 000014
【図７】
0006041228.tif 000015
【図８Ａ】
0006041228.tif 000016
【図８Ｂ】
0006041228.tif 000017
【図９】
0006041228.tif 000018
【図１０】
0006041228.tif 000019
【図１１】
0006041228.tif 000020